(57)【要約】【課題】  文字放送情報表示機能付きテレビ受像装置で、テレビジョン放送信号が受信され、その中のテレテキストデータが処理され、最終的にテレテキスト放送として表示される過程において、テレテキストデータがデコードされる時間を短縮する。【解決手段】  スライス回路２１から取り込んだテレテキストデータをデータ検出部３１においてデコードし、テレテキストデータに含まれる実際の文字データを制御する属性データをページ及び行番号検出部３２において生成し、レジスタ３４に書き込む。リクエストページ取込判定部３３において、リクエストデータと属性データを比較し、一致した場合、属性データ及び文字データをメモリに書き込む。【選択図】  図３
2005323291.tif 000002
【特許請求の範囲】
【請求項１】
テレビジョン放送信号から所定のテレテキストデータを取り出し、表示用データに変換するテレテキストデコーダ回路であって、
前記テレテキストデータの中から属性データを生成する属性データ生成手段と、
生成された前記属性データと表示リクエストデータとの一致を確認する比較手段と、
前記比較結果に基づいて、少なくとも前記テレテキストデータの中の文字データを記憶する記憶手段とを
有することを特徴とするテレテキストデコーダ回路。
【請求項２】
前記属性データ生成手段として、前記属性データを生成し、生成された前記属性データをレジスタに格納するページ及び行番号検出部を有することを特徴とする請求項１に記載のテレテキストデコーダ回路。
【請求項３】
前記比較手段として、生成された前記属性データを読み出し、ＣＰＵから送出される表示リクエストページと前記属性データと比較し、一致判定を行うリクエストページ取込判定部を有することを特徴とする請求項１または請求項２に記載のテレテキストデコーダ回路。
【請求項４】
テレビジョン放送信号から所定のテレテキストデータを取り出し、前記表示用データに変換するテレテキストデコーダ回路及び所定のテレビジョンデータを取り出し、表示用データに変換するビデオ信号処理回路を有するマイクロコンピュータであって、
前記テレテキストデコーダ回路は、前記テレテキストデータの中から属性データを生成する属性データ生成手段と、
生成された前記属性データと表示リクエストデータとの一致を確認する比較手段と、
前記比較結果に基づいて、少なくとも前記テレテキストデータの中の文字データをメモリ回路に格納する記憶手段とを
有することを特徴とするマイクロコンピュータ。
【請求項５】
テレビジョン放送信号から所定のテレテキストデータを取り出し、表示用データに変換するテレテキストデコーダ回路を有する文字放送情報処理機能付きテレビ受像装置であって、
前記テレテキストデータの中から属性データを生成する属性データ生成手段と、
生成された前記属性データと表示リクエストデータとの一致を確認する比較手段と、
前記比較結果に基づいて、少なくとも前記テレテキストデータの中の文字データを記憶する記憶手段とを
有するテレテキストデコーダ回路を含むことを特徴とする文字放送情報処理機能付きテレビ受像装置。
【発明の詳細な説明】
【技術分野】
【０００１】
本発明はテレテキストデコーダ回路、テレテキストデコーダ回路を含むマイクロコンピュータ、並びにマイクロコンピュータを有する文字放送情報表示機能付きテレビ受像装置に関する。
【背景技術】
【０００２】
テレビビジョン放送における文字放送では、一連の文字情報を番組として取り扱っている。利用者は、それらの番組から任意の番組を選択し、テレビ受像装置に表示させて情報を得るようになっている。
【０００３】
文字放送番組として一般的には、ニュース、天気予報、交通情報、エンターテインメント等複数の番組が用意されている。また、例えば、ニュースを取り上げると、政治ニュース、スポーツニュース、芸能ニュース等の分類を行い、視聴者がその中からサブ番組として任意のニュースをリクエストする方法も行われている。
【０００４】
文字放送番組用のデータは、文字放送情報表示機能付きテレビ受像装置に内蔵されたマイクロコンピュータによって制御されている。マイクロコンピュータにおいては、その中に配置されたデコーダ回路によって、テレビジョン放送信号から文字番組放送のデータとなるテレテキストデータを検出し、処理する。
【０００５】
従来、テレテキストデータに含まれる実際の文字データの処理に必要な属性データは、マイクロコンピュータ内のメモリ回路に取り込んだテレテキストデータの一部をマイクロコンピュータ内の他の回路へ読み出し、そのデータをソフトウェアによって処理することにより生成される。また、デコーダ回路によって処理されたテレテキストデータの中に含まれる実際の文字データは、その属性データをもとに制御される（例えば、特許文献１参照。）。
【０００６】
しかし、属性データには、ソフトウェアでの処理に時間が掛かるものもあり、実際、テレビジョン放送信号が文字放送情報表示機能付きテレビ受像装置に受信され、それがテレテキストデータとして処理され、最後に表示部において表示されるまでの時間が、比較的長くなるという問題があった。
【特許文献１】特開平９―２０５５９２号公報  （第４ページ、第１図）
【発明の開示】
【発明が解決しようとする課題】
【０００７】
本発明は、文字放送情報表示機能付きテレビ受像装置で、テレビジョン放送信号が受信され、その中のテレテキストデータが処理され、最終的にテレテキスト放送として表示される過程において、テレテキストデータがデコードされる時間を短縮することを目的としている。
【課題を解決するための手段】
【０００８】
本発明の第１の態様は、テレビジョン放送信号から所定のテレテキストデータを取り出し、表示用データに変換するテレテキストデコーダ回路であって、前記テレテキストデータの中から属性データを生成する属性データ生成手段と、生成された前記属性データと表示リクエストデータとの一致を確認する比較手段と、前記比較結果に基づいて、少なくとも前記テレテキストデータの中の文字データを記憶する記憶手段とを有することを特徴とする。
【０００９】
また、本発明の第２の態様は、テレビジョン放送信号から所定のテレテキストデータを取り出し、表示用データに変換するテレテキストデコーダ回路及び所定のテレビジョンデータを取り出し、表示用データに変換するビデオ信号処理回路を有するマイクロコンピュータであって、前記テレテキストデータの中から属性データを生成する属性データ生成手段と、生成された前記属性データと表示リクエストデータとの一致を確認する比較手段と、前記比較結果に基づいて、少なくとも前記テレテキストデータの中の文字データをメモリ回路に格納する記憶手段とを有するテレテキストデコーダ回路を含むことを特徴とする。
【００１０】
また、本発明の第３の態様は、テレビジョン放送信号から所定のテレテキストデータを取り出し、表示用データに変換するテレテキストデコーダ回路を有する文字放送情報処理機能付きテレビ受像装置であって、前記テレテキストデータの中から属性データを生成する属性データ生成手段と、生成された前記属性データと表示リクエストデータとの一致を確認する比較手段と、前記比較結果に基づいて、少なくとも前記テレテキストデータの中の文字データを記憶する記憶手段とを有するテレテキストデコーダ回路を含むことを特徴とする。
【発明の効果】
【００１１】
本発明によれば、文字放送情報表示機能付きテレビ受像装置で、テレビジョン放送信号が受信され、その中のテレテキストデータが処理され、最終的テレテキスト放送として表示される過程において、テレテキストデータがデコードされる時間を短縮することが可能となる。
【発明を実施するための最良の形態】
【００１２】
以下、図面を参照して本発明の実施例を説明する。
【００１３】
図１（ａ）に、本発明における実施例である文字放送機能情報処理付きテレビ受像装置１０を示す。アンテナ１９により受信された文字放送情報を含むテレビジョン放送信号は、チューナ部１１へ送られる。チューナ部１１ではテレビビジョン放送信号を中間周波数の信号に変換し、検波部１２へ出力する。検波部１２は中間周波数の信号を増幅し、検波して、その検波出力をマイクロコンピュータ部１３及び音声信号処理部１３ａへ送る。
【００１４】
一方、マイクロコンピュータ部１３は操作部１７から受信部１８を介して得られるリクエスト信号を実行する。ここで、操作部１７はリモコン、スイッチ等であり、番組設定等のリクエスト信号を受信部１８へ送るものである。例えば、マイクロコンピュータ部１３は番組選択のリクエスト入力をチューナ部１１及び切替及び合成部１４へ送る。
【００１５】
マイクロコンピュータ部１３は図１（ｂ）に示すように、テレビジョン信号を処理するビデオ信号処理回路１３ｂ及びテレテキスト信号を処理するテレテキストデコーダ回路１３ｃから構成されている。ビデオ信号処理回路１３ｂでは検波部１２から出力された信号をビデオデータに変換し、テレテキストデコーダ回路１３ｃでは検波部１２から出力された信号をテレテキストデータに変換する。
【００１６】
変換されたビデオデータ及びテレテキストデータは切替及び合成部１４へ送られる。切替及び合成部１４は、操作部１７からのリクエスト信号に応じて、ビデオ信号処理回路１３ｂからの出力とテレテキストデコーダ回路１３ｃからの出力との切り替えを行うか、あるいは、共に出力する場合は、タイミングを合わせて合成し、その信号を映像信号出力部１５へ送る。映像信号出力部１５は、得られた信号を増幅してブラウン管や液晶等の表示部１６を駆動し、表示部１６の表示画面上に表示する。
【００１７】
一方、音声信号処理部１３ａでは検波部１２から出力された信号を音声データに変換し、音声信号出力部１５ａへ送出する。音声信号出力部１５ａでは得られた音声データを増幅してスピーカ部１６ａへ出力し、スピーカ部１６ａで音声を放送する。
【００１８】
図２は文字放送情報処理機能付きテレビ受像装置におけるマイクロコンピュータ部１３の一部であるテレテキストデコーダ回路１３ｃの回路ブロック図である。
【００１９】
先ず、スライス回路２１は図１における検波部１２の出力信号の波形を整形し、その中から、周期的に繰り返し現れる文字放送情報であるテレテキストデータを検出して取り出し、アクウィジション回路２２に送り出す。アクウィジション回路２２では、種々のテレテキストデータの中からリクエストされたページを選択してページメモリ２３ａ乃至２３ｄへ転送する。
【００２０】
先ず、アクウィジション回路２２ではテレテキストデータのエラー等をチェックし、検出されたエラーの修正処理等を行う。また、アクウィジション回路２２ではスライス回路２１から取り込んだテレテキストデータから、テレテキストデータに含まれる実際の文字データをソフトウェア処理するのに必要な属性データを生成する。生成された属性データは、アクウィジション回路２２内のレジスタ（図示せず）に書き込まれる。
【００２１】
次に、ＣＰＵ２７から指示を受けたダイレクトメモリアクセス回路２２ａによって、メモリ群２３の中から指定されたページメモリ２３ａ乃至２３ｄへ、テレテキストデータの文字情報がデータ化されている文字データ、或いは文字データの制御データ等が送出され、格納される。
【００２２】
本実施例では４つのテキストメモリ２３ａ乃至２３ｄを図示したが、ページメモリの数は特に限定されるものではなく、さらに多くの文字データが書込可能なように、ページメモリを追加して用意して良い。なお、図２に示したメモリ群２３はそれぞれ個別のメモリ回路或いはメモリ装置でも良いし、また、一つのメモリ装置のメモリ領域を分割して使い分けても良い。
【００２３】
これらのデータ書込みに関するプログラムはプログラムＲＯＭ２７ａの中にあり、ＣＰＵ２７がそのプログラムを実行することにより、文字データがテキストメモリ群２３ａ乃至２３ｄへ書き込まれる。また、ＣＰＵ２７を通じたメモリ群２３やアクウィジション回路２２、ダイレクトメモリアクセス回路２２ａ等への情報の伝送はバスライン２７ｂを通して行われる。
【００２４】
次に、メモリ群２３に書き込まれたデータは以下のように選択される。先ず、リモコン操作部２９ａ或いはキースイッチ操作部２９ｂからリクエスト信号が送られる。例えば、リモコン操作部２９ａからリクエスト信号が送られる場合は、リクエスト信号がリモコン受信部３０ａを通じてマイクロコンピュータ２０のＩ／Ｏポート２８ａに入力される。このリクエスト信号に応じて、ＣＰＵ２７がプログラムＲＯＭ２７ａに書き込まれているプログラムを実行し、リクエスト信号からリモコンのキーコードを読み取り、メモリ群２３からメモリ２３ａ乃至２３ｄのいずれかを選択する。
【００２５】
また、キースイッチ操作部２９ｂが押された場合は、リクエスト信号がアナログ電圧出力部３０ｂを通じてＡ／Ｄ変換回路２８ｂへ送られ、そのリクエスト信号の変換が行なわれる。変換されたリクエスト信号によりＣＰＵ２７がプログラムＲＯＭ２７ａに書き込まれているプログラムを実行する。
【００２６】
更に、ＣＰＵ２７は、その電圧からキーコードを読み取り、メモリ群２３からメモリ２３ａ乃至メモリ２３ｄのいずれかを選択し、メモリ群２３から選択したメモリのアドレス番号等の認知記号を、データ転送コントローラ２４内の制御レジスタ（図示せず）に書き込む。これを受けたデータ転送コントローラ２４は制御レジスタに書き込まれ、選択されたメモリに記憶されたデータを表示用バッファメモリ２５へ転送する。この転送は表示画面（図示せず）の表示内容が切り替る時に行われる。
【００２７】
続いて、ＯＳＤ回路２６において、ＣＰＵ２７からの指示を読み込み、その指示により、表示用バッファメモリ２５に書き込まれているデータに関するテレテキストデータの文字データを読み込み、その文字情報に対応するフォントデータをフォントＲＯＭ２６ａから読み出し、ビデオ信号に変換して出力する。
【００２８】
次に、アクウィジション回路２２とその動作について説明する。図３にアクウィジション回路２２の回路ブロック図を示す。また、図４にテレテキストデータの流れを示す模式図を示す。両者を比較しながら説明する。
【００２９】
本実施例においては、スライス回路２１から送出されるテレテキストデータ４１は、表示データとして適切か否かを判定するため、データエラー検出部３１においてハミング処理、パリティ処理等が行われる。
【００３０】
続いて、エラー検出処理後の、例えばパケット１行分のテレテキストデータのうち、テレテキストデータに含まれる実際の文字データを制御するパケットの属性、例えばページ番号、行番号等、を示すデータをページ及び行番号検出部３２に取り出し、属性データ４１ｂを生成する。生成された属性データ４１ｂは、レジスタ３４に書き込まれる。従来は、属性データの生成を本実施例のようなアクウィジション回路での処理ではなく、ソフトウェアによる処理で行っていた。
【００３１】
一方、ページ及び行番号検出部３２からの属性データ生成終了信号を受けたリクエストページ取込判定部３３は、ＣＰＵ２７からあらかじめプログラムＲＯＭ２７ａ内のソフトウェアによってレジスタ（図示せず）に設定された表示リクエストページと、ページ及び行番号検出部３２で生成され、レジスタ３４に格納されている属性データ４１ｂを比較し、一致判定を行う。
【００３２】
続いて、一致した場合、リクエストページ取込判定部３３から制御データ４１ｄとして例えば一致判定信号及び書き込み場所指定信号がダイレクトアクセスメモリアクセス回路２２ａへ送出される。次に、ダイレクトアクセスメモリアクセス回路２２ａはレジスタ３４から属性データの一部である行番号データ４１ｃを、データエラー検出部３１から文字データ４１ａをそれぞれ取り込み、メモリ群へ転送する。
【００３３】
次に、テレテキストデコーダ回路における動作のフローを図５に示し、図２を参照しながら説明する。
【００３４】
図５の処理フローに示すように、テレテキストデコーダ回路１３ｃはテレビジョン放送信号から文字放送情報であるテレテキストデータを抽出してデコードし（Ｓ５０）、そのテレテキストデータをメモリ群２３に格納させる（Ｓ５１）。次に、メモリ群２３に記憶されたテレテキストデータのうち、必要とするメモリ、例えばメモリ２３ａのデータを選択し（Ｓ５２）、そのデータを表示用バッファメモリ２５へ転送する。続いて、ＯＳＤ回路２６で、そのデータの文字コードを読み取り、表示信号に変換して出力する（Ｓ５３）。
【００３５】
次に、アクウィジション回路２２における動作のフローを図６に示し、図３を参照しながら説明する。
【００３６】
図６の処理フローに示すように、先ず、スライス回路２１がテレビジョン放送信号から文字放送情報であるテレテキストデータを抽出し、アクウィジション回路２２へテレテキストデータを送出する。データエラー検出回路３１において、テレテキストデータをデコードする（Ｓ６０）。次に、属性データ生成ステップとして、テレテキストデータから、テレテキストデータに含まれる実際の文字データを制御する属性のデータをページ及び行番号検出部３２へ取り出し、属性データを生成し、レジスタ３４へ格納する（Ｓ６１）。
【００３７】
次に、比較ステップとして、リクエストページ取込判定部３３では、ＣＰＵ２７から、あらかじめプログラムＲＯＭ２７ａ内のソフトウェアによってレジスタ（図示せず）に設定された表示リクエストページと、ページ及び行番号検出部３２で生成され、レジスタ３４に格納されている属性データを比較し、一致判定を行う（Ｓ６２）。
【００３８】
続いて、送出ステップとして、リクエストページ取込判定部３３から制御データとして、例えば一致判定信号及び書き込み場所指定信号がダイレクトアクセスメモリアクセス回路２２ａへ送出され（Ｓ６３）、ダイレクトアクセスメモリアクセス回路２２ａはレジスタ３４から属性データの一部である行番号データを、また、データエラー検出部３１から文字データを取り込み、メモリ群へ送出する（Ｓ６４）。
【００３９】
以上のように、本実施例によれば、制御データの生成が容易であり、また、メモリへのアクセスも軽減され、比較的短時間でテレテキストデータをデコードできる。
【００４０】
なお、本発明は上述した実施形態に何ら限定されるものではなく、本発明の主旨を逸脱しない範囲内で種々変更して実施することができる。
【００４１】
レジスタに書き込まれる属性データは、実施例に挙げたページ番号、行番号等のデータだけでなく、モニターが必要な他のデータの書き込みも可能である。
【００４２】
また、本発明は、以下の付記に記載されるような構成が考えられる。
【００４３】
付記１として、マイクロコンピュータは、属性データ生成手段として、属性データを生成し、生成された属性データをレジスタに格納するページ及び行番号検出部を有することを特徴とするテレテキストデコーダ回路を有する。
【００４４】
付記２として、マイクロコンピュータは、比較手段として、レジスタから属性データを読み出し、ＣＰＵから送出される表示リクエストページと属性データと比較し、一致判定を行うリクエストページ取込判定部を有することを特徴とするテレテキストデコーダ回路を有する。
【００４５】
付記３として、文字放送情報処理機能付きテレビ受像装置は、属性データ生成手段として、属性データを生成し、生成された属性データをレジスタに格納するページ及び行番号検出部を有することを特徴とするテレテキストデコーダ回路を有する文字放送情報処理機能付きテレビ受像装置。
【００４６】
付記４として、文字放送情報処理機能付きテレビ受像装置は、比較手段として、レジスタから属性データを読み出し、ＣＰＵから送出される表示リクエストページと属性データと比較し、一致判定を行うリクエストページ取込判定部を有することを特徴とするテレテキストデコーダ回路を有する。
【００４７】
付記５として、テレテキストのデコード方法は、テレビジョン放送信号から所定のテレテキストデータを取り出し、表示用データに変換するテレテキストのデコード方法であって、テレテキストデータの中から属性データを生成する属性データ生成ステップと、生成された属性データと表示リクエストデータとの一致を確認する比較ステップと、比較結果に基づいて、少なくともテレテキストデータの中の文字データをメモリ回路に格納する記憶ステップとを有することを特徴とする。
【００４８】
付記６として、テレテキストのデコード方法は、属性データ生成ステップが、ページ及び行番号検出部による属性データ生成及びレジスタへの属性データ格納により構成されていることを特徴とする。
【００４９】
付記７として、テレテキストのデコード方法は、比較ステップが、リクエストページ取込判定部による表示リクエストページと属性データとの比較及び一致判定により構成されていることを特徴とする。
【図面の簡単な説明】
【００５０】
【図１】本発明の実施例における文字放送情報処理機能付きテレビ受像装置の構成及びマイクロコンピュータ部の構成を示すブロック図。
【図２】本発明の実施例におけるマイクロコンピュータ部のテレテキストデコーダ回路を示す回路ブロック図。
【図３】本発明の実施例におけるテレテキストデコーダ回路内のアクウィジション回路を示す回路ブロック図。
【図４】本発明の実施例におけるテレテキストデータの流れを示す模式図。
【図５】本発明の実施例におけるテレテキストデコーダ回路によるデータ処理のフローチャート。
【図６】本発明の実施例におけるアクウィジション回路によるデータ処理のフローチャート。
【符号の説明】
【００５１】
１０  文字放送機能付きビデオ受像装置
１１  チューナ部
１２  検波部
１３  マイクロコンピュータ部
１３ａ  音声信号処理部
１３ｂ  ビデオ信号処理回路
１３ｃ  テレテキストデコード回路
１４  切替及び合成部
１５  映像信号出力部
１５ａ  音声信号出力部
１６  表示部
１６ａ  スピーカ部
１７  操作部
１８  受信部
１９  アンテナ
２１  スライス回路
２２  アクウィジション回路
２２ａ  ダイレクトメモリアクセス回路
２３  メモリ群
２３ａ、２３ｂ、２３ｃ、２３ｄ  ページメモリ
２４  データ転送コントローラ
２４ｂ  メモリコントローラ
２５  表示用バッファメモリ
２６  ＯＳＤ回路
２６ａ  フォントＲＯＭ
２７  ＣＰＵ
２７ａ  プログラムＲＯＭ
２７ｂ  バスライン
２８ａ  Ｉ／Ｏポート
２８ｂ  Ａ／Ｄ変換回路
２９ａ  リモコン操作部
２９ｂ  キースイッチ操作部
３０ａ  リモコン受信部
３０ｂ  アナログ電圧出力部
３１  データエラー検出部
３２  ページ及び行番号検出部
３３  リクエストページ取込判定部
３４  レジスタ
４１  テレテキストデータ
４１ａ  文字データ
４１ｂ  属性データ
４１ｃ  行番号データ
４１ｄ  制御データ
【図１】
2005323291.tif 000003
【図２】
2005323291.tif 000004
【図３】
2005323291.tif 000005
【図４】
2005323291.tif 000006
【図５】
2005323291.tif 000007
【図６】
2005323291.tif 000008